(57)【要約】【課題】輝度の均一性を向上できる発光モジュールを提供する。【解決手段】一実施形態において、発光モジュールは、第１端子部、第１発光装置、第２発光装置、第１導電薄膜及び第１導電層を含む。前記第１発光装置は、第１電極を含む。前記第２発光装置は、第２電極を含む。前記第１導電薄膜は、第１薄膜領域及び第２薄膜領域を含む。前記第１薄膜領域は、前記第１端子部及び前記第１電極を電気的に接続し第１電流経路長を有する。前記第２薄膜領域は、前記第１端子部及び前記第２電極を電気的に接続し前記第１電流経路長よりも短い第２電流経路長を有する。前記第１導電層は、前記第１薄膜領域と電気的に接続される。前記第１導電層の少なくとも一部は、前記第１薄膜領域を含む平面に対して垂直な第１方向において前記第１薄膜領域と重なる。【選択図】図１
2020181723.tif 000002
【特許請求の範囲】
【請求項１】
第１端子部と、
第１電極を含む第１発光装置と、
第２電極を含む第２発光装置と、
第１導電薄膜であって、前記第１導電薄膜は、前記第１端子部及び前記第１電極を電気的に接続し第１電流経路長を有する第１薄膜領域と、前記第１端子部及び前記第２電極を電気的に接続し前記第１電流経路長よりも短い第２電流経路長を有する第２薄膜領域と、を含む前記第１導電薄膜と、
前記第１薄膜領域と電気的に接続された第１導電層と、
を備え、
前記第１導電層の少なくとも一部は、前記第１薄膜領域を含む平面に対して垂直な第１方向において前記第１薄膜領域と重なる、発光モジュール。
【請求項２】
前記第１導電薄膜の厚さは、前記第１導電層の厚さよりも薄い、請求項１記載の発光モジュール。
【請求項３】
前記第１導電薄膜の前記厚さは、１０ｎｍ以上１０００ｎｍ以下であり、
前記第１導電層の前記厚さは、１０００を超え２５０００未満である、請求項２記載の発光モジュール。
【請求項４】
前記第１端子部は、前記第１導電薄膜と重なり、
前記第１端子部の厚さは、前記第１導電層の前記厚さと実質的に同じである、請求項２または３に記載の発光モジュール。
【請求項５】
前記第１端子部の材料は、前記第１導電層の材料と実質的に同じである、請求項１〜４のいずれか１つに記載の発光モジュール。
【請求項６】
前記第１導電薄膜は、Ｃｒ、Ｃｕ、Ｎｉ、Ａｇ、Ｔｉ、Ａｕ、Ｐｔ、Ｐｄ、Ｒｈ及びＲｕよりなる群から選択された少なくとも１つを含み、
前記第１導電層は、Ｃｕ、Ａｇ、Ｎｉ、Ａｕ、Ｚｎ及びＳｎよりなる群から選択された少なくとも１つを含む、請求項１〜５のいずれか１つに記載の発光モジュール。
【請求項７】
前記第１端子部と前記第１電極との間の電流経路の方向に対して垂直な方向に沿う、前記第１導電層の幅は、前記電流経路において前記第１端子部から前記第１電極への向きに沿って増大する、請求項１〜６のいずれか１つに記載の発光モジュール。
【請求項８】
前記第１導電層は第１部分及び第２部分を含み、
前記第１部分と前記第１端子部との間の、前記第１端子部と前記第１電極との間の電流経路に沿う距離は、前記第２部分と前記第１端子部との間の前記電流経路に沿う距離よりも長く、
前記第１部分の第１幅方向に沿う第１幅は、前記第２部分の第２幅方向に沿う第２幅よりも広く、
前記第１幅方向は、前記第１方向に対して垂直であり、前記第１端子部と前記第１電極との間の電流経路に流れる電流の前記第１部分における方向と交差し、
前記第２幅方向は、前記第１方向に対して垂直であり、前記電流の前記第２部分における方向と交差する、請求項１〜６のいずれか１つに記載の発光モジュール。
【請求項９】
第２端子部と、
第３電極を含む第３発光装置と、
第４電極を含む第４発光装置と、
第２導電薄膜あって、前記第２導電薄膜は、前記第２端子部及び前記第３電極を電気的に接続し第３電流経路長を有する第３薄膜領域と、前記第２端子部及び前記第４電極を電気的に接続し前記第３電流経路長よりも短い第４電流経路長を有する第４薄膜領域と、を含む前記第２導電薄膜と、
前記第３薄膜領域と電気的に接続された第２導電層と、
をさらに備え、
前記第２導電層の少なくとも一部は、前記第１方向において前記第３薄膜領域と重なる、請求項１〜８のいずれか１つに記載の発光モジュール。
【請求項１０】
第２端子部と、
第３導電薄膜と、
をさらに備え、
前記第１発光装置は、別の電極をさらに含み、
前記第３導電薄膜の一部は、前記別の電極と接続され、
前記第３導電薄膜の別の一部は、前記第２端子部と電気的に接続された、請求項１〜９のいずれか１つに記載の発光モジュール。
【請求項１１】
第５発光装置をさらに備え、
前記第３導電薄膜は、前記第５発光装置を経由して前記第２端子部と電気的に接続された、請求項１０記載の発光モジュール。
【請求項１２】
前記第１導電薄膜と前記第３導電薄膜との間の間隔は、５０μｍ以下である、請求項１０または１１に記載の発光モジュール。
【請求項１３】
絶縁部材をさらに備え、
前記絶縁部材から前記第１端子部への方向は、前記第１方向に沿い、
前記絶縁部材から前記第１薄膜領域への方向は、前記第１方向に沿い、
前記絶縁部材から前記第１発光装置への方向は、前記第１方向と交差し、
前記第１薄膜領域は前記絶縁部材と前記第１導電層の前記少なくとも一部との間にある、または、前記第１導電層の前記少なくとも一部は、前記絶縁部材と前記第１薄膜領域との間にある、請求項１〜１２のいずれか１つに記載の発光モジュール。
【発明の詳細な説明】
【技術分野】
【０００１】
本発明の実施形態は、発光モジュールに関する。
【背景技術】
【０００２】
複数の発光装置を含む発光モジュールがある。発光モジュールにおいて、均一な輝度が望まれる。
【先行技術文献】
【特許文献】
【０００３】
【特許文献１】特開２０１１−１２９６４６号公報
【発明の概要】
【発明が解決しようとする課題】
【０００４】
一実施形態は、輝度の均一性を向上できる発光モジュールを提供する。
【課題を解決するための手段】
【０００５】
一実施形態において、発光モジュールは、第１端子部、第１発光装置、第２発光装置、第１導電薄膜及び第１導電層を含む。前記第１発光装置は、第１電極を含む。前記第２発光装置は、第２電極を含む。前記第１導電薄膜は、第１薄膜領域及び第２薄膜領域を含む。前記第１薄膜領域は、前記第１端子部及び前記第１電極を電気的に接続し第１電流経路長を有する。前記第２薄膜領域は、前記第１端子部及び前記第２電極を電気的に接続し前記第１電流経路長よりも短い第２電流経路長を有する。前記第１導電層は、前記第１薄膜領域と電気的に接続される。前記第１導電層の少なくとも一部は、前記第１薄膜領域を含む平面に対して垂直な第１方向において前記第１薄膜領域と重なる。
【発明の効果】
【０００６】
一実施形態によれば、輝度の均一性を向上できる発光モジュールが提供される。
【図面の簡単な説明】
【０００７】
【図１】第１実施形態に係る発光モジュールを例示する模式的平面図である。
【図２】第１実施形態に係る発光モジュールを例示する模式的平面図である。
【図３】図１に示すIII-III線による、第１実施形態に係る発光モジュールを例示する模式的断面図である。
【図４】図１に示すIV―IV線による、第１実施形態に係る発光モジュールを例示する模式的断面図である。
【図５】図１に示すV-V線による、第１実施形態に係る発光モジュールを例示する模式的断面図である。
【図６】図１に示すVI―VI線による、第１実施形態に係る発光モジュールを例示する模式的断面図である。
【図７】第２実施形態に係る発光モジュールを例示する模式的平面図である。
【図８】図７に示すVIII-VIII線による、第２実施形態に係る発光モジュールを例示する模式的断面図である。
【図９】図７に示すIX-IX線による、第２実施形態に係る発光モジュールを例示する模式的断面図である。
【図１０】第２実施形態に係る発光モジュールを例示する模式的平面図である。
【図１１】第４実施形態に係る発光モジュールを例示する模式的平面図である。
【図１２】第５実施形態に係る発光モジュールを例示する模式的平面図である。
【図１３】第６実施形態に係る発光モジュールを例示する模式的平面図である。
【図１４】第７実施形態に係る発光モジュールを例示する模式的断面図である。
【発明を実施するための形態】
【０００８】
以下に、本発明の各実施の形態について図面を参照しつつ説明する。  
図面は模式的または概念的なものであり、各部分の厚さと幅との関係、部分間の大きさの比率などは、必ずしも現実のものと同一とは限らない。同じ部分を表す場合であっても、図面により互いの長さや比率が異なって表される場合もある。本願明細書において、既出の図に関して前述したものと同様の要素には同一の符号を付して詳細な説明は適宜省略する。
【０００９】
なお、本願明細書において、「垂直」及び「平行」は、厳密な垂直、及び厳密な平行だけではなく、例えば製造工程におけるばらつきなどを含むものであり、実質的に垂直または実質的に平行であればよい。
【００１０】
（第１実施形態）  
図１及び図２は、第１実施形態に係る発光モジュールを例示する模式的平面図である。  図３〜図６は、第１実施形態に係る発光モジュールを例示する模式的断面図である。  
図１及び図２は、図３〜図６の矢印ＡＡからみた平面図である。図３〜図６は、それぞれ、図１のIII-III線、IV-IV線、V-V線及びVI-VI線による断面図である。
【００１１】
図１に示すように、第１実施形態に係る発光モジュール１１０は、第１端子部４１、第１発光装置１１、第２発光装置１２、第１導電薄膜２１及び第１導電層３１を含む。発光モジュール１１０は、第２端子部４２をさらに含んでもよい。
【００１２】
例えば、発光モジュール１１０は、複数の発光装置１０を含む。第１発光装置１１は、複数の発光装置１０の１つである。第２発光装置１２は、複数の発光装置１０の別の１つである。発光モジュール１１０は、第３発光装置１３、第４発光装置１４、第５発光装置１５、第６発光装置１６、第７発光装置１７及び第８発光装置１８などを含んでもよい。これらの発光装置は、複数の発光装置１０に含まれる。他の発光装置１０の例については、後述する。
【００１３】
これらの発光装置１０は、導電薄膜２０により、第１端子部４１及び第２端子部４２と電気的に接続される。本願明細書において、「複数の発光装置１０の１つが、第１端子部４１及び第２端子部４２と電気的に接続される状態」は、複数の発光装置１０の１つが、複数の発光装置１０の別の１つを経由して第１端子部４１及び第２端子部４２に接続される状態を含む。
【００１４】
図１に示す発光モジュール１１０の例では、第１発光装置１１及び第５発光装置１５が互いに直列に接続され、第１端子部４１及び第２端子部４２と電気的に接続される。第２発光装置１２及び第７発光装置１７が互いに直列に接続され、第１端子部４１及び第２端子部４２と電気的に接続される。第３発光装置１３及び第６発光装置１６が互いに直列に接続され、第１端子部４１及び第２端子部４２と電気的に接続される。第４発光装置１４及び第８発光装置１８が互いに直列に接続され、第１端子部４１及び第２端子部４２と電気的に接続される。これらの電気的な接続が、導電薄膜２０により行われる。
【００１５】
上記の第１導電薄膜２１は、導電薄膜２０の一部である。後述するように、導電薄膜２０は、第２〜第６導電薄膜２２〜２６などを含んでもよい。
【００１６】
例えば、第１端子部４１及び第２端子部４２との間に電圧を印加することで、導電薄膜２０を経由して、複数の発光装置１０に電流が供給され、複数の発光装置１０から光が出射される。
【００１７】
以下、第１発光装置１１及び第２発光装置１２の例について説明する。
【００１８】
図１に示すように、第１発光装置１１は、第１電極１１ｅを含む。第２発光装置１２は、第２電極１２ｅを含む。第１導電薄膜２１は、第１薄膜領域２１ａ及び第２薄膜領域２１ｂを含む。第１薄膜領域２１ａは、第１端子部４１及び第１電極１２ｅを電気的に接続する。第２薄膜領域２１ｂは、第１端子部４１及び第２電極１２ｅを電気的に接続する。第１薄膜領域２１ａは、第１端子部４１と第１電極１１ｅとの間に流れる電流の電流経路の少なくとも一部となる。第２薄膜領域２１ｂは、第１端子部４１と第２電極１２ｅとの間に流れる電流の電流経路の少なくとも一部となる。
【００１９】
図１に示すように、第１端子部４１と第１電極１１ｅとの間の距離は、第１端子部４１と第２電極１２ｅとの間の距離とは異なる。複数の電流経路の長さが、互いに異なる。
【００２０】
図２及び図３に示すように、第１端子部４１及び第１電極１１ｅを電気的に接続する第１薄膜領域２１ａの電流経路の長さを第１電流経路長Ｌｃ１とする。図２及び図４に示すように、第１端子部４１及び第２電極１２ｅを電気的に接続する第２薄膜領域２１ｂの電流経路の長さを第２電流経路長Ｌｃ２とする。図２に示すように、第２電流経路長Ｌｃ２は、第１電流経路長Ｌｃ１よりも短い。
【００２１】
図１〜図３に示すように、第１導電層３１が設けられる。第１導電層３１は、第１薄膜領域２１ａと電気的に接続される。第１導電層３１の少なくとも一部は、第１薄膜領域２１ａと重なる。例えば、第１薄膜領域２１ａを含む平面をＸ−Ｙ平面とする。Ｘ−Ｙ平面に対して垂直な方向を第１方向とする。第１方向は、例えば、Ｚ軸方向である。第１導電層３１の少なくとも一部は、Ｚ軸方向において、第１薄膜領域２１ａと重なる。この例では、Ｘ−Ｙ平面は、第１薄膜領域２１ａ及び第２薄膜領域２１ｂを含む
電流経路が長い第１薄膜領域２１ａに第１導電層３１が設けられることで、第１薄膜領域２１ａ及び第１導電層３１を含む電流経路の電気抵抗は、第２薄膜領域２１ｂの電流経路の電気抵抗に近づく。例えば、第１導電層３１は、補助配線として機能する。
【００２２】
例えば、第１導電層３１が設けられない第１参考例が考えられる。第１参考例においては、第１端子部４１と第１電極１１ｅとの間の電流経路の長さが、第１端子部４１と第２電極１２ｅとの間の電流経路の長さと異なるため、これらの電流経路の電気抵抗の差が大きい。
【００２３】
これに対して、実施形態においては、電流経路が長い第１薄膜領域２１ａに第１導電層３１が設けられる。第１導電層３１により、電気抵抗の差が補正され、電気抵抗の不均一さが抑制できる。実施形態においては、第１端子部４１と第１電極１１ｅとの間の電気抵抗と、第１端子部４１と第２電極１２ｅとの間の電気抵抗と、の差を、第１参考例よりも小さくできる。
【００２４】
電気抵抗の差が小さくできるため、第１発光装置１１に供給される電流と、第２発光装置１２に供給される電流と、の間の差を小さくでき、これらの発光装置から出射する光の輝度の差を小さくできる。実施形態によれば、輝度の均一性を向上できる発光モジュールを提供できる。
【００２５】
一方、複数の発光装置が設けられる場合において、電流経路の差に応じて、配線の幅を変化させる第２参考例がある。この場合、複数の配線の間の間隙を広くすることになり、発光モジュールのサイズが大きくなる。または、１つの配線の抵抗が上昇し、必要な電流を十分に供給することが困難である。
【００２６】
これに対して、実施形態においては、配線として機能する導電薄膜２０に重ねて、第１導電層３１を設ける。これにより、複数の導電薄膜２０の間の間隙を狭くでき、例えば、発光モジュールのサイズを小さくし易い。例えば、必要な電流を十分に供給し易くなる。
【００２７】
実施形態において、上記のように、第１導電層３１は、第１薄膜領域２１ａに設けられる。１つの例において、第１導電層３１は、第２薄膜領域２１ｂに設けられなくてもよい。別の例において、第１導電層３１と同様な導電層が第２薄膜領域２１ｂに設けられてもよい。この場合、第１薄膜領域２１ａに設けられる第１導電層３１の面積は、第２薄膜領域２１ｂに設けられる導電層の面積よりも大きい。これにより、電流経路の長さの差に起因する電気抵抗の差を小さくできる。例えば、第１薄膜領域２１ａに大きな面積の第１導電層３１が設けられ、第２薄膜領域２１ｂに小さな面積の導電層が設けられる。このような場合は、電流経路の全体の電気抵抗を小さくできる。
【００２８】
実施形態において、第１導電薄膜２１などの導電薄膜２０は、例えば、スパッタで形成された薄膜であることが好ましい。これにより、例えば、発光モジュールの薄型化や、導電薄膜２０の形状の加工が容易になる。例えば、第１導電薄膜２１などになる薄膜が、複数の発光装置１０を含む構造体の実質的な全体に形成される。この後、例えば、レーザ光などを照射することで、薄膜の一部が除去される。これにより、第１導電薄膜２１などが得られる。この他、例えば、導電薄膜２０となる薄膜を形成した後、反応性イオンエッチング（ＲＩＥ）、または、リフトオフなどにより、薄膜の一部を除去してもよい。このような方法により、複数のパターンの薄膜が、高い位置精度で、高い生産性により得られる。一方、第１導電層３１においては、位置精度への要求が低い。第１導電層３１は、例えば、導電材料の厚膜印刷や薄膜印刷などの方法により高い生産性で形成できる。
【００２９】
図３に示すように、第１導電薄膜２１の厚さ２１ｔは、第１導電層３１の厚さ３１ｔよりも薄い。これらの厚さは、Ｚ軸方向に沿う長さである。
【００３０】
第１導電薄膜２１の厚さ２１ｔは、例えば、１０ｎｍ以上１０００ｎｍ以下である。第１導電層３１の厚さ３１ｔは、例えば、１０００ｎｍを超え２５０００ｎｍ未満である。
【００３１】
第１導電薄膜２１の厚さ２１ｔが１０００ｎｍ以下であることにより、高い精度のパターンが得やすい。第１導電薄膜２１の厚さ２１ｔが１０ｎｍ以上であることにより、例えば、均一な膜が得やすい。
【００３２】
第１導電層３１の厚さ３１ｔが１０００ｎｍを超えることにより、例えば、第１導電層３１の電気抵抗を低くでき、電流経路の電気抵抗の差を補正し易くなる。第１導電層３１の厚さ３１ｔが２５０００ｎｍ未満であることにより、例えば、発光モジュールを薄型化することができる。
【００３３】
既に説明したように、第１発光装置１１及び第５発光装置１５が互いに直列に接続される。図１及び図３に示すように、第１発光装置１１は、別の電極１１ｆを含む。図１に示すように、第３導電薄膜２３により、第１発光装置１１の別の電極１１ｆが、第５発光装置１５と電気的に接続される。例えば、図１及び図３に示すように、第３導電薄膜２３の一部は、別の電極１１ｆと接続される。図１に示すように、第３導電薄膜２３の別の一部は、第５発光装置１５を経由して、第２端子部４２と電気的に接続される。
【００３４】
図３に示すように、第１導電薄膜２１と第３導電薄膜２３との間の間隔２０ｇは、例えば、５０μｍ以下である。間隔２０ｇは、例えば、第１導電薄膜２１の第１薄膜領域２１ａと、第３導電薄膜２３と、の間の間隔に対応する。このように、間隔２０ｇを狭くすることで、例えば、第１発光装置１１の第１電極１１ｅと、別の電極１１ｆと、の間の間隔が小さい場合においても、適切な接続が得られる。例えば、第１発光装置１１のサイズが小さい場合に対応可能な、導電薄膜２０のパターンが得られる。間隔２０ｇは、例えば、第１導電薄膜２１と第３導電薄膜２３との間の最短の距離である。
【００３５】
発光モジュール１１０の例においては、２つの発光装置１０が互いに直列に接続されている。実施形態において、直列に接続される複数の発光装置１０の数は、任意である。例えば、第１発光装置１１の第１電極１１ｅが第１導電薄膜２１により第１端子部４１に接続され、第１発光装置１１の別の電極１１ｆが、他の発光装置１０を経由せずに、第３導電薄膜２３により第２端子部４２に接続されもよい。すなわち、第３導電薄膜２３は、第２端子部４２と電気的に接続される。第３導電薄膜２３は、任意の数の別の発光装置１０を経由して第２端子部４２と電気的に接続されてもよい。
【００３６】
図３に示すように、第１発光装置１１は、例えば、第１電極１１ｅ及び別の電極１１ｆに加えて、第１発光素子１１ｓをさらに含む。第１電極１１ｅは、第１発光素子１１ｓと、第１導電薄膜２１の第１薄膜領域２１ａと、の間にある。別の電極１１ｆは、第１発光素子１１ｓと第３導電薄膜２３との間にある。
【００３７】
図３に示すように、発光モジュール１１０は、絶縁部材６０をさらに含んでもよい。絶縁部材６０から第１端子部４１への方向は、第１方向であるＺ軸方向に沿う。絶縁部材６０から第１薄膜領域２１ａへの方向は、第１方向であるＺ軸方向に沿う。絶縁部材６０から第１発光装置１１への方向は、第１方向であるＺ軸方向と交差する。発光モジュール１１０の例においては、第１薄膜領域２１ａは、絶縁部材６０と、第１導電層３１の少なくとも一部と、の間にある。
【００３８】
例えば、絶縁部材６０の上に第１導電薄膜２１が設けられる。第１導電薄膜２１の第１薄膜領域２１ａの上に、第１導電層３１が設けられる。この例では、第１導電薄膜２１の上に、第１端子部４１が設けられる。後述するように、第１導電層３１の上に、第１導電薄膜２１の第１薄膜領域２１ａが設けられてもよい。
【００３９】
図３に示すように、発光モジュール１１０の例においては、第１端子部４１は、第１方向であるＺ軸方向において、第１導電薄膜２１と重なる。例えば、第１端子部４１の厚さ４１ｔは、第１導電層３１の厚さ３１ｔと実質的に同じである。例えば、厚さ４１ｔは、厚さ３１ｔの０．７倍以上１．３倍以下である。例えば、第１端子部４１の材料は、例えば、第１導電層３１の材料と実質的に同じである。例えば、印刷などの方法により、第１端子部４１及び第１導電層３１が同時に形成されてもよい。第１端子部４１及び第１導電層３１が、高い生産性で得られる。
【００４０】
図４に示すように、絶縁部材６０から第２発光装置１２への方向は、第１方向であるＺ軸方向と交差する。図４に示すように、第２発光装置１２は、例えば、第２電極１２ｅに加えて、別の電極１２ｆ、及び、第２発光素子１２ｓをさらに含む。第２電極１２ｅは、第２発光素子１２ｓと第２薄膜領域２１ｂとの間にある。別の電極１１ｆは、第２発光素子１２ｓと第５導電薄膜２５との間にある。
【００４１】
図１に示すように、発光モジュール１１０は、第２導電薄膜２２及び第２導電層３２をさらに含んでもよい。以下、第２導電薄膜２２及び第２導電層３２の例について説明する。
【００４２】
図１に示すように、第３発光装置１３は、第３電極１３ｅ及び別の電極１３ｆを含む。発光モジュール１１０の例においては、第３発光装置１３の別の電極１３ｆは、第１導電薄膜２１と電気的に接続される。第１導電薄膜２１を経由して、第３発光装置１３は、第１端子部４１と電気的に接続される。
【００４３】
第４発光装置１４は、第４電極１４ｅ及び別の電極１４ｆを含む。発光モジュール１１０の例においては、第４発光装置１４の別の電極１４ｆは、第１導電薄膜２１と電気的に接続される。第１導電薄膜２１により、第４発光装置１４は、第１端子部４１と電気的に接続される。
【００４４】
図１に示すように、第２導電薄膜２２は、第３薄膜領域２２ｃ及び第４薄膜領域２２ｄを含む。第３薄膜領域２２ｃは、第２端子部４２及び第３電極１３ｅを電気的に接続する。第４薄膜領域２２ｄは、第２端子部４２及び第４電極１４ｅを電気的に接続する。
【００４５】
図２及び図５に示すように、第３薄膜領域２２ｃは、第３電流経路長Ｌｃ３を有する。第３電流経路長Ｌｃ３は、第３薄膜領域２２ｃにおける、第２端子部４２と第３電極１３ｅとの間の電流経路の長さに対応する。
【００４６】
図２及び図６に示すように、第４薄膜領域２２ｄは、第４電流経路長Ｌｃ４を有する。第４電流経路長Ｌｃ４は、第４薄膜領域２２ｄにおける、第２端子部４２と第４電極１４ｅとの間の電流経路の長さに対応する。
【００４７】
図２に示すように、第４電流経路長Ｌｃ４は、第３電流経路長Ｌｃ３よりも短い。
【００４８】
第２導電層３２は、第３薄膜領域２２ｃと電気的に接続される。図２及び図５に示すように、第２導電層３２の少なくとも一部は、第１方向であるＺ軸方向において、第３薄膜領域２２ｃと重なる。
【００４９】
例えば、第２端子部４２と第３発光装置１３との間の距離は、第２端子部４２と第４発光装置１４との間の距離とは異なる。第２端子部４２と第３発光装置１３との間の電流経路の長さが、第２端子部４２と第４発光装置１４との間の電流経路の長さとは異なる。第２導電層３２を設けることにより、第２端子部４２と第３発光装置１３との間の電流経路の電気抵抗を低くすることができる。
【００５０】
例えば、第２端子部４２と第３発光装置１３との間に流れる電流を、第２端子部４２と第４発光装置１４との間に流れる電流に近づけることができる。これにより、第３発光装置１３と第４発光装置１４との間において、輝度の差を小さくすることができる。輝度の均一性を向上できる発光モジュールが提供できる。
【００５１】
図５に示すように、第３発光装置１３は、例えば、第３電極１３ｅ及び別の電極１３ｆに加えて、第３発光素子１３ｓをさらに含む。第３電極１３ｅは、第３発光素子１３ｓと、第２導電薄膜２２の第３薄膜領域２２ｃと、の間にある。別の電極１３ｆは、第３発光素子１３ｓと第４導電薄膜２４との間にある。
【００５２】
図５に示すように、絶縁部材６０から第２端子部４２への方向は、第１方向であるＺ軸方向に沿う。絶縁部材６０から第３薄膜領域２２ｃへの方向は、第１方向であるＺ軸方向に沿う。絶縁部材６０から第３発光装置１３への方向は、第１方向であるＺ軸方向と交差する。発光モジュール１１０の例においては、第３薄膜領域２２ｃは絶縁部材６０と第２導電層３２の少なくとも一部との間にある。
【００５３】
図６に示すように、絶縁部材６０から第４発光装置１４への方向は、第１方向であるＺ軸方向と交差する。図６に示すように、第４発光装置１４は、例えば、第４電極１４ｅ及び別の電極１４ｆに加えて、第４発光素子１４ｓをさらに含む。第４電極１４ｅは、第４発光素子１４ｓと、第２導電薄膜２２の第４薄膜領域２２ｄと、の間にある。別の電極１４ｆは、第４発光素子１４ｓと第６導電薄膜２６との間にある。
【００５４】
図１に示すように、第１端子部４１及び第２端子部４２を通過する線よりも上側の領域に、第１発光装置１１及び第５発光装置１５の組み、第２発光装置１２及び第７発光装置１７の組み、第３発光装置１３及び第６発光装置１６の組み、及び、第４発光装置１４及び第８発光装置１８の組みを含むグループが設けられる。図１に示すように、第１端子部４１及び第２端子部４２を通過する線よりも下側の領域に、別のグループが設けられてもよい。別のグループにおいても、複数の導電薄膜２０が設けられる。複数の導電薄膜２０の少なくとも１つの一部に、導電層３０が設けられる。これにより、電気抵抗の不均一さが抑制できる。輝度の均一性を向上できる。
【００５５】
（第２実施形態）  
図７は、第２実施形態に係る発光モジュールを例示する模式的平面図である。  
図８及び図９は、第１実施形態に係る発光モジュールを例示する模式的断面図である。
【００５６】
図８は、図７のVIII-VIII線による断面図である。図９は、図７のIX-IX線による断面図である。
【００５７】
図７及び図８に示すように、第２実施形態に係る発光モジュール１１１も、第１端子部４１、第１発光装置１１、第２発光装置１２、第３発光装置１３、第４発光装置１５、第１導電薄膜２１、第２導電薄膜２２、第１導電層３１、第２導電層３２及び絶縁部材６０を含む。発光モジュール１１１においては、第１導電薄膜２１及び第１導電層３１の重なり順、及び、第２導電薄膜２２及び第２導電層３２の重なり順が、発光モジュール１１０における重なり順とは異なる。発光モジュール１１１におけるこの他の構成は、例えば、発光モジュール１１０における構成と同様である。
【００５８】
図８に示すように、絶縁部材６０の上に、第１導電層３１設けられ、第１導電層３１の上に、第１薄膜領域２１ａが設けられる。この例では、第１端子部４１の上に、第１導電薄膜２１が設けられる。図８に示すように、絶縁部材６０の上に、第２導電層３２が設けられ、第２導電層３２の上に、第３薄膜領域２２ｃが設けられる。この例では、第２端子部４２の上に、第２導電薄膜２２が設けられる。
【００５９】
このように、第１導電層３１の少なくとも一部は、絶縁部材６０と第１薄膜領域２１ａとの間に設けられてもよい。第２導電層３２の少なくとも一部は、絶縁部材６０と第３薄膜領域２２ｃとの間に設けられてもよい。
【００６０】
図３に例示した発光モジュール１１０においては、平坦な表面の上に、第１導電薄膜２１が設けられる。これにより、均一な第１導電薄膜２１が得やすい。例えば、絶縁部材６０と第１導電薄膜２１との間において、良好な密着性が得やすい。図７に例示した発光モジュール１１１においては、平坦な表面の上に、第１導電層３１が設けられる。これにより、均一な第１導電層３１が得やすい。例えば、絶縁部材６０と第１導電層３１との間において、良好な密着性が得やすい。
【００６１】
（第３実施形態）
図１０は、第３実施形態に係る発光モジュールを例示する模式的平面図である。  
図１０は、図１に対応する平面図である。
【００６２】
図１０に示すように、第１実施形態に係る発光モジュール１１２においては、第１導電層３１及び第２導電層３２に加えて、他の導電層３８ａ〜３８ｃなどが設けられている。導電層３８ａは、第１導電薄膜２１のうちの第６発光装置１６と接続される領域に設けられる。導電層３８ｂは、第１導電薄膜２１のうちの第８発光装置１８と接続される領域に設けられる。導電層３８ｃは、第２導電薄膜２２のうちの第５発光装置１５と接続される領域に設けられる。発光モジュール１１２におけるこの他の構成は、例えば、発光モジュール１１０における構成と同様である。発光モジュール１１２においては、第１端子部４１と第６発光装置１６との間の電流経路、第１端子部４１と第８発光装置１８との間の電流経路、及び、第２端子部４２と第５発光装置１５との間の電流経路の電気抵抗が低減できる。発光モジュール１１２によれば、輝度の均一性を向上できる。
【００６３】
（第４実施形態）
図１１は、第４実施形態に係る発光モジュールを例示する模式的平面図である。  
図１１は、図１に対応する平面図である。
【００６４】
図１１に示すように、第１実施形態に係る発光モジュール１１３においては、第１導電層３１は、第１端子部４１と連続している。第１導電層３１の一部が、第１端子部４１と第１電極１１ｅとの間の電流経路の一部と重なる。第１導電層３１の別の一部が、第１端子部４１と第２電極１２ｅとの間の電流経路の一部と重なっても良い。発光モジュール１１３におけるこの他の構成は、例えば、発光モジュール１１０における構成と同様である。第１導電層３１を設けることで、第１導電層３１を設けない場合に比べて、第１端子部４１と第２電極１２ｅとの間の電気抵抗と、第１端子部４１と第１電極１１ｅとの間の電気抵抗と、の差を小さくできる。発光モジュール１１３において、第２導電層３２は、第２端子部４２と連続している。第２導電層３２を設けることで、第２導電層３２を設けない場合に比べて、第２端子部４２と第３電極１３ｅとの間の電気抵抗と、第２端子部４２と第４電極１４ｅとの間の電気抵抗と、の差を小さくできる。発光モジュール１１３によれば、輝度の均一性を向上できる。
【００６５】
（第５実施形態）
図１２は、第５実施形態に係る発光モジュールを例示する模式的平面図である。  
図１２は、図１に対応する平面図である。
【００６６】
図１２に示すように、第１実施形態に係る発光モジュール１１４においては、第１導電層３１は、発光モジュール１１４の１つの辺に沿って延びる部分と、発光モジュール１１４の１つの別の辺に沿って延びる部分と、を含む。上記の１つの辺の方向は、上記の別の辺の方向と交差する。発光モジュール１１４におけるこの他の構成は、例えば、発光モジュール１１０における構成と同様である。このような第１導電層３１により、第１端子部４１と第１電極１１ｅとの間の電気抵抗と、第１端子部４１と第２電極１２ｅとの間の電気抵抗と、の差を小さくできる。このような第１導電層３１により、第１端子部４１と第６発光装置１６の電極との間の電気抵抗と、第１端子部４１と第２電極１２ｅとの間の電気抵抗と、の差を小さくできる。発光モジュール１１４によれば、輝度の均一性を向上できる。
【００６７】
発光モジュール１１２〜１１４において、発光モジュール１１１の構成を適用できる。
【００６８】
（第６実施形態）  
図１３は、第６実施形態に係る発光モジュールを例示する模式的平面図である。  
図１３は、図１に対応する平面図である。
【００６９】
図１３に示すように、第６実施形態に係る発光モジュール１２０は、第１端子部４１、第１発光装置１１、第２発光装置１２、第１導電薄膜２１及び第１導電層３１を含む。発光モジュール１２０における第１導電層３１の平面形状は、発光モジュール１１０における第１導電層３１の平面形状と異なる。発光モジュール１２０におけるこれ以外の構成は、例えば発光モジュール１１０の構成と同じである。以下、第１導電層３１の平面形状の例について説明する。
【００７０】
図１３に示すように、第１導電層３１の幅３１ｗは、第１端子部４１と第１電極１１ｅとの間の電流経路において、第１端子部４１から第１電極１１ｅへの向きに沿って増大する。第１導電層３１の幅３１ｗは、第１端子部４１と第１電極１１ｅとの間の電流経路の方向に対して垂直な方向に沿う、第１導電層３１の長さである。例えば、第１導電層３１の幅３１ｗは、第１端子部４１から遠ざかるに従って増大する。このような第１導電層３１により、電気抵抗の差をより補正し易くなる。輝度の均一性をより向上し易くなる。
【００７１】
例えば、図１３に示すように、第１導電層３１は、第１部分３１ｐ及び第２部分３１ｑを含む。第１部分３１ｐと第１端子部４１との間の、第１端子部４１と第１電極１１ｅとの間の電流経路に沿う距離は、第２部分３１ｑと第１端子部４１との間のその電流経路に沿う距離よりも長い。例えば、第１部分３１ｐと第１端子部４１との間の距離は、第２部分３１ｑと第１端子部４１との間の距離よりも長い。第１部分３１ｐは、第１端子部４１から遠く、第２部分３１ｑは第１端子部４１に近い。第１部分３１ｐの第１幅方向に沿う第１幅３１ｐｗは、第２部分３１ｑの第２幅方向に沿う第２幅３１ｑｗよりも広い。この例では、第１幅方向及び第２幅方向は、Ｘ軸方向である。
【００７２】
上記の第１幅方向は、第１方向であるＺ軸方向に対して垂直である。第１幅方向は、例えば、第１端子部４１と第１電極１１ｅとの間の電流経路に流れる電流の、第１部分３１ｐにおける方向と交差する。上記の第２幅方向は、第１方向であるＺ軸方向に対して垂直である。第２幅方向は、例えば、その電流の第２部分３１ｑにおける方向と交差する。実用的には、第１幅方向及び第２幅方向は、第１導電層３１の延びる方向に対して垂直でもよい。この例では、第１幅方向及び第２幅方向は、Ｘ軸方向に沿う方向である。
【００７３】
図１３に示すように、第２導電層３２の幅３２ｗは、第２端子部４２と第３電極１３ｅとの間の電流経路において、第２端子部４２から第３電極１３ｅへの向きに沿って増大する。第２導電層３２の幅３２ｗは、第２端子部４２と第３電極１３ｅとの間の電流経路の方向に対して垂直な方向に沿う、第２導電層３２の長さである。例えば、第２導電層３２の幅３２ｗは、第２端子部４２から遠ざかるに従って増大する。このような第２導電層３２により、電気抵抗の差をより補正し易くなり、輝度の均一性をより向上し易くなる。
【００７４】
発光モジュール１２０において、発光モジュール１１１〜１１４の構成を適用できる。
【００７５】
（第７実施形態）  
図１４は、第７実施形態に係る発光モジュールを例示する模式的断面図である。  
図１４に示すように、第７実施形態に係る発光モジュール１３０は、複数の発光装置１０、複数の導電薄膜２０、第１端子部４１及び第２端子部４２を含む。図１４に示す断面において、実際には、第１端子部４１及び第２端子部４２は現れない。第１端子部４１及び第２端子部４２は、例えば、図１に例示した位置などに設けられる。発光モジュール１３０は、第１導電層３１及び第２導電層３２を含む。これらの導電層は、図１４の断面では現れない。発光モジュール１３０における第１導電層３１及び第２導電層３２は、発光モジュール１１０〜１１４または発光モジュール１２０における第１導電層３１及び第２導電層３２と同様でよい。
【００７６】
発光モジュール１３０において、複数の発光装置１０は、第１発光装置１１、第３発光装置１３、第５発光装置１５及び第６発光装置１６を含む。複数の導電薄膜２０は、第１導電薄膜２１、第２導電薄膜２２、及び、導電薄膜２０ａ〜２０ｃを含む。この例では、導電薄膜２０ａ〜２０ｃにより、複数の発光装置１０が直列に接続されている。複数の発光装置１０のうちの、端の第１発光装置１１は、第１導電薄膜２１により、第１端子部４１に電気的に接続される。複数の発光装置１０のうちの、別の端の第２発光装置１２は、第２導電薄膜２２により、第２端子部４２に電気的に接続される。発光モジュール１３０において、複数の発光装置１０は、図１に例示した第２発光装置１２を含んでも良い。
【００７７】
図１４に示す例では、複数の導電薄膜２０の上に、絶縁膜６１及び６２を介して、配線層６８ａ及び６８ｂが設けられる。配線層６８ａと第１端子部４１とが、接続部材６９ａにより電気的に接続される。配線層６８ｂと第２端子部４２とが、接続部材６９ｂにより電気的に接続される。配線層６８ａ及び６８ｂの上に、絶縁膜６３が設けられる。
【００７８】
図１４に示す例では、複数の発光装置１０のそれぞれと、波長変換部材６４と、が、光透過性部材６６を介して、接続される。波長変換部材６４は、光学部材６５と、複数の発光装置１０のそれぞれと、の間に設けられる。光学部材６５は、例えば、レンズとして機能する。複数の発光装置１０のそれぞれから出射した光は、波長変換部材６４及び光学部材６５を通って、外部に出射する。
【００７９】
発光モジュール１３０において、第１導電層３１及び第２導電層３２が設けられることにより、輝度の均一性を向上できる。実施形態において、複数の、上記の任意の発光モジュールが設けられても良い。
【００８０】
第１〜第７実施形態において、導電薄膜（例えば、第１〜第６導電薄膜２１〜２６の少なくともいずれか）は、Ｃｒ、Ｃｕ、Ｎｉ、Ａｇ、Ｔｉ、Ａｕ、Ｐｔ、Ｐｄ、Ｒｈ及びＲｕよりなる群から選択された少なくとも１つを含む。例えば、導電薄膜は、Ｃｒ、Ｃｕ、Ｎｉ、Ａｇ、Ｔｉ、Ａｕ、Ｐｔ、Ｐｄ、Ｒｈ及びＲｕよりなる群から選択された少なくとも１つからなっても良い。例えば、導電薄膜は、Ｃｒ、Ｃｕ、Ｎｉ、Ａｇ、Ｔｉ、Ａｕ、Ｐｔ、Ｐｄ、Ｒｈ及びＲｕよりなる群から選択された少なくとも１つを含む複数の金属層で形成されても良い。例えば、導電薄膜は、Ｃｒ、Ｃｕ、Ｎｉ、Ａｇ、Ｔｉ、Ａｕ、Ｐｔ、Ｐｄ、Ｒｈ及びＲｕよりなる群から選択された少なくとも１つ含む合金を含んでも良い。例えば、導電薄膜は、Ｃｒ、Ｃｕ、Ｎｉ、Ａｇ、Ｔｉ、Ａｕ、Ｐｔ、Ｐｄ、Ｒｈ及びＲｕよりなる群から選択された少なくとも１つ含む合金からなっても良い。
【００８１】
第１〜第７実施形態において、導電層（例えば、第１、第２導電層３１及び３２の少なくともいずれか）は、Ｃｕ、Ａｇ、Ｎｉ、Ａｕ、Ｚｎ及びＳｎよりなる群から選択された少なくとも１つを含む。例えば、導電層は、Ｃｕ、Ａｇ、Ｎｉ、Ａｕ、Ｚｎ及びＳｎよりなる群から選択された少なくとも１つからなっても良い。例えば、導電層は、Ｃｕ、Ａｇ、Ｎｉ、Ａｕ、Ｚｎ及びＳｎよりなる群から選択された少なくとも１つを含む複数の金属層で形成されても良い。例えば、導電層は、Ｃｕ、Ａｇ、Ｎｉ、Ａｕ、Ｚｎ及びＳｎよりなる群から選択された少なくとも１つの合金を含んでも良い。例えば、導電層は、Ｃｕ、Ａｇ、Ｎｉ、Ａｕ、Ｚｎ及びＳｎよりなる群から選択された少なくとも１つの合金からなっても良い。
【００８２】
第１〜第７実施形態において、２つの端子部が設けられている例が示されている。実施形態において、端子部の数は、３以上でもよい。端子部の数が３以上の場合においても、各端子部と各発光装置との間に流れる電流の電流経路の長さの差が生じる箇所に導電層を設けることで、電流経路の長さの差に起因する電気抵抗の差を小さくできる。
【００８３】
一実施形態によれば、輝度の均一性を向上できる発光モジュールを提供できる。
【００８４】
以上、具体例を参照しつつ、本発明の実施の形態について説明した。しかし、本発明は、これらの具体例に限定されるものではない。例えば、発光モジュールに含まれる、端子部、発光装置、電極、発光素子、導電薄膜及び導電層などのそれぞれの具体的な構成に関しては、当業者が公知の範囲から適宜選択することにより本発明を同様に実施し、同様の効果を得ることができる限り、本発明の範囲に包含される。
【００８５】
また、各具体例のいずれか２つ以上の要素を技術的に可能な範囲で組み合わせたものも、本発明の要旨を包含する限り本発明の範囲に含まれる。
【００８６】
その他、本発明の実施の形態として上述した発光モジュールを基にして、当業者が適宜設計変更して実施し得る全ての発光モジュールも、本発明の要旨を包含する限り、本発明の範囲に属する。
【００８７】
その他、本発明の思想の範疇において、当業者であれば、各種の変更例及び修正例に想到し得るものであり、それら変更例及び修正例についても本発明の範囲に属するものと解される。
【産業上の利用可能性】
【００８８】
本開示の実施形態は、例えば、バックライト光源、照明装置の光源、及び、表示装置の光源等に利用することができる。
【符号の説明】
【００８９】
１０…発光装置、  １１〜１８…第１〜第８発光装置、  １１ｅ〜１４ｅ…第１〜第４電極、  １１ｆ〜１４ｆ…電極、  １１ｓ〜１４ｓ…第１〜第４発光素子、  ２０、２０ａ〜２０ｃ…導電薄膜、  ２０ｇ…間隙、  ２１〜２６…第１〜第６導電薄膜、  ２１ａ…第１薄膜領域、  ２１ｂ…第２薄膜領域、  ２１ｔ…厚さ、  ２２ｃ…第３薄膜領域、  ２２ｄ…第４薄膜領域、  ３０…導電層、  ３１、３２…第１、第２導電層、  ３１ｐ、３１ｑ…第１、第２部分、  ３１ｐｗ、３１ｑｗ…第１、第２幅、  ３１ｔ…厚さ、  ３１ｗ、３２ｗ…幅、  ３８ａ〜３８ｃ…導電層、  ４１、４２…第１、第２端子部、  ４１ｔ…厚さ、  ６０…絶縁部材、  ６１〜６３…絶縁膜、  ６４…波長変換部材、  ６５…光学部材、  ６６…光透過性部材、  ６８ａ、６８ｂ…配線層、  ６９ａ、６９ｂ…接続部材、  １１０〜１１４、１２０、１３０…発光モジュール、  ＡＡ…矢印、  Ｌｃ１〜Ｌｃ４…第１〜第４電流経路長
【図１】
2020181723.tif 000003
【図２】
2020181723.tif 000004
【図３】
2020181723.tif 000005
【図４】
2020181723.tif 000006
【図５】
2020181723.tif 000007
【図６】
2020181723.tif 000008
【図７】
2020181723.tif 000009
【図８】
2020181723.tif 000010
【図９】
2020181723.tif 000011
【図１０】
2020181723.tif 000012
【図１１】
2020181723.tif 000013
【図１２】
2020181723.tif 000014
【図１３】
2020181723.tif 000015
【図１４】
2020181723.tif 000016